(57)【要約】【課題】粘着テープやステープル等によって固定する作業を省くと共に、堅固な底部を構成できる箱を提供する。【解決手段】箱１は、角筒状の箱本体を構成する二対の側壁の下端縁にそれぞれ連設された一対の第一底フラップ１１，１３及び一対の第二フラップ１２を内折して底部を構成可能であって、一対の第一底フラップ１１，１３は、内折された際に互いのフラップ先端部が重畳可能な高さを有し、第二底フラップ１２のフラップ先端部の両端にそれぞれ形成された一対の挿入片４０と、第一底フラップ１１，１３の、第二底フラップ１２が上側に重畳された際に挿入片４０を挿入自在な位置に形成され、フラップ基端縁１１ｂに沿ってフラップ側方からフラップ内側に向かう第一切込３１、その終端からフラップ先端部側に向かう第二切込３２を備えて構成される切込部３０とを具備する。【選択図】図１
0003119259.tif 000002
【実用新案登録請求の範囲】
【請求項１】
角筒状の箱本体を構成する四つの側壁と、対向する一対の側壁の下端縁にそれぞれ連設された一対の第一底フラップと、対向する他の一対の側壁の下端縁にそれぞれ連設された一対の第二底フラップとを有し、第二底フラップの裏面が第一底フラップの表面に重畳するようにそれぞれ内折されて底部を構成可能な箱であって、
一対の前記第一底フラップは、内折された際に互いのフラップ先端部が重畳可能な高さを有し、
前記第二底フラップのフラップ先端部の両端にそれぞれ形成された一対の挿入片と、
前記第一底フラップの、前記第二底フラップが重畳された際に前記挿入片を挿入自在な位置に形成され、フラップ基端縁に沿ってフラップ側方からフラップ内側に向かう第一切込、該第一切込の終端からフラップ先端部側に向かう第二切込を有して構成される切込部と
を具備することを特徴とする箱。
【請求項２】
一対の前記第一底フラップの一方のフラップ先端部に形成された凸状部と、
他方の前記第一底フラップのフラップ先端部に、前記凸状部を挿入可能に形成された
凹状部と
を更に具備することを特徴とする請求項１に記載の箱。
【請求項３】
前記挿入片は、挿入片基端より先端に向かって拡幅して形成され、
前記切込部は、前記第二切込の終端から、更にフラップ先端部側に向かうと共に、前記第二切込に対してフラップ内側に屈曲した第三切込を備える
ことを特徴とする請求項１または請求項２に記載の箱。
【考案の詳細な説明】
【技術分野】
【０００１】
本考案は、箱に関するものであり、特に、角筒状の箱本体を構成する四つの側壁と、それぞれの側壁の下端縁に連設された四つの底フラップとを有する箱に関するものである。
【背景技術】
【０００２】
従来より、ダンボール箱等の角筒状の本体を有する箱において、対向する二対の側壁のそれぞれの下端縁から延設された四枚の底フラップを内側に略水平に折り曲げ、粘着テープやステープル等によって固定し、底部を形成することが行われている。また、粘着テープやステープルを用いることなく、複数の底フラップを互いに組付けることにより底部が形成される箱として、例えば図５に示すような箱１００が実施されている。
【０００３】
この従来の箱１００は、対向する一対の第一側壁１１１の下端縁１２１から延設された一対の第一底フラップ１０１の先端部の両側に係止片１３１が形成され、第一側壁１１１に直交する一対の第二側壁１１２の下端縁１２２から延設された一対の第二底フラップ１０２に、係止片１３１を挿通可能な係止孔１３２が形成されているものである。そして、一対の第二底フラップ１０２を内側に折り曲げた後、一対の第一底フラップ１０１を内側に折り曲げつつ、それぞれの係止片１３１を対応する係止孔１３２に挿し込むことにより、それぞれの第二底フラップ１０２は係止片１３１によって裏面側から、第一底フラップ１０１の係止片１３１以外の部分によって表面側から挟み込まれ、第一底フラップ１０１及び第二底フラップ１０２が折り曲げられた状態が保持される。これにより、粘着テープやステープル等によって固定する作業を省いて底部を形成することができると共に、収容物を収容しない状態で底部を解除し、箱を分解して折り畳む際にも、粘着テープを剥がしたりステープルの針を外したりする手間を要さないものとなる。なお、図５は、構造を明確に図示するため、箱１００の天地を逆にして図示しており、下端縁１２１，１２２は、それぞれ第一側壁１１１，第二側壁１１２に対し、紙面上方向に図示されている。
【考案の開示】
【考案が解決しようとする課題】
【０００４】
しかしながら、上記の箱１００は、形成される底部が堅固なものではなかった。すなわち、箱１００に重量物が収容され、底部に荷重がかかると、係止孔１３２と係止片１３１との係合がゆるみ、一対の第二底フラップ１０２の間の隙間が拡大し、収容物の一部が露呈したり、隙間から収容物が落下したりすることがあった。更に、係止孔１３２から係止片１３１が抜け出てしまい、一対の第二底フラップ１０２が両側に開き、いわゆる底が抜けた状態となることがあった。
【０００５】
そこで、本考案は上記の実情に鑑み、粘着テープやステープル等によって固定する作業を省くと共に、堅固な底部を構成できる箱の提供を課題とするものである。
【課題を解決するための手段】
【０００６】
本考案に係る箱は、「角筒状の箱本体を構成する四つの側壁と、対向する一対の側壁の下端縁にそれぞれ連設された一対の第一底フラップと、対向する他の一対の側壁の下端縁にそれぞれ連設された一対の第二底フラップとを有し、第二底フラップの裏面が第一底フラップの表面に重畳するようにそれぞれ内折されて底部を構成可能な箱であって、一対の前記第一底フラップは、内折された際に互いのフラップ先端部が重畳可能な高さを有し、前記第二底フラップのフラップ先端部の両端にそれぞれ形成された一対の挿入片と、前記第一底フラップの、前記第二底フラップが重畳された際に前記挿入片を挿入自在な位置に形成され、フラップ基端縁に沿ってフラップ側方からフラップ内側に向かう第一切込、該第一切込の終端からフラップ先端部側に向かう第二切込を有して構成される切込部とを」具備して構成されている。
【０００７】
ここで、「フラップ基端縁」とは、角筒状の箱本体を構成する側壁の一つと、その側壁に連設された底フラップとの境界線であり、側壁に着目した場合の「側壁の下端縁」と一致する。そして、底フラップを内折して底部を構成する際、それぞれの底フラップはこのフラップ基端縁に沿って内折される。また、「フラップ先端部」とは、それぞれの底フラップにおいてフラップ基端縁と対向するフラップ先端縁の近傍の部分である。更に、「フラップ側方」とは、フラップの幅方向における左側または右側であり、「フラップ内側」とは、フラップの幅方向における中央よりをいう。更に、フラップの「高さ」とは、フラップ基端縁からフラップ先端縁の最先の部分に向かう垂線の長さである。
【０００８】
「内折された際に互いのフラップ先端部が重畳可能な高さ」は、一対の第一底フラップの高さの和を、第二底フラップが連設される側壁の幅より大とすることにより実現することができ、二枚の第一底フラップの高さは、同一であっても異なっていても構わない。
【０００９】
「挿入片」は、第二底フラップのフラップ先端部のフラップ側方に、フラップ先端縁からフラップ基端縁に向かう溝や切込みを形成し、その外側の部分を挿入片とすることができる。或いは、フラップ先端部の両端に挿入片が突設される構成とすることができる。
【００１０】
従って、本考案によれば、一対の第一底フラップを内折し、その後に一対の第二底フラップを内折し、挿入片を切込部に挿し込むことにより底部を形成することができる。この際、二枚の第一底フラップのフラップ先端部が重畳していることにより、底部の強度が増大し、箱に重量物が収容されても底部がたわみ難いものとなる。また、重量物の収容等によって、挿入片と切込部との係合が多少ゆるみ、一対の第一底フラップが開きかけても、底部に隙間が生じにくいものとなる。これにより、収容物の底部からの露出や、収容物またはその一部の箱からの落下を防止することが可能となる。
【００１１】
また、挿入片を係合させる相手側が、第一切込及び第二切込によってＬ字状に形成される切込部であることにより、両切込によって挟まれる三角形の部分（以後、「三角形部」と称する）が、挿入片を案内し、スムーズに挿入片を挿し込むことができる。このとき、三角形部を下方に向かって押下げることにより、空間が生じて挿入がより容易になると共に、三角形部の下方への傾斜により、より良好に案内作用を奏するものとなる。
【００１２】
加えて、切込部に挿入された挿入片は、三角形部の復元力により、三角形部の表面によって第一底フラップの裏面に押圧され、切込部から抜け難いものとなり、底部の形成状態が安定する。これと共に、挿入片及び三角形部の重畳による箱内部への底部の盛り上がりが小さいものとなり、収容物の邪魔にならない。特に、切込部がＬ字状であることから、コ字状やＵ字状とする場合や、上記の従来の箱１００の係止孔１３２のような構成にする場合に比べ、箱内部に押下げられる残余部分（本発明では、三角形部）の面積が小さく、更に、第一切込がフラップ基端縁に沿って形成されることから、三角形部が底部の端寄りとなり、より収容物の邪魔にならないものとなる。
【００１３】
また、本考案に係る箱は、上記構成に加え、「一対の前記第一底フラップの一方のフラップ先端部に形成された凸状部と、他方の前記第一底フラップのフラップ先端部に、前記凸状部を挿入可能に形成された凹状部とを」具備するものとすることができる。
【００１４】
凸状部及び凹部は、一対の第一底フラップを共に内折させた際の位置を対応させ、凹状部の大きさを凸状部より大とすることで、凸状部を凹状部に挿入可能となるが、形状や大きさを対応させた設定とすることにより、凹状部に凸状部がぴったりと嵌め込まれることが望ましい。また、凸状部及び凹部は、一対であっても、複数対を設けて相互にかみ合わせるものであっても構わない。
【００１５】
従って、本考案によれば、第一底フラップの一方の凹状部に、他方の第一底フラップの凸状部を嵌め込み、両フラップを係合させることが可能となる。すなわち、凸状部を有するフラップは、凸状部の表面及び凸状部以外の部分の裏面で他方の第一底フラップを挟み込み、凹状部を有するフラップは、中央の窪んだ部分付近の裏面及び両端の突出した部分の表面で他方の第一底フラップを挟み込むこととなる。これにより、二枚の第一底フラップの係合が極めて安定し、形成される底部が堅固なものとなる。
【００１６】
ここで、一対の第一底フラップの先端部の相対する位置に、それぞれ切込みを設け、両フラップの先端部をかみ合せる構成も想定し得る。しかしながら、この場合は、かみ合せる操作において裏面にすべき側、表面にすべき側が一見して明瞭ではない。また、形成された底部においても、それぞれのフラップの先端部が相反する方向を向いて底部の表面に露出し、引掛かりを生じ易い。これに対し、本発明では、凸状部と凹状部との組合わせにより係合させる構成としたことにより、凸状部を凹上部に嵌め込むことは一見して明らかであり、箱の組立て操作が分かり易いものとなる。また、形成された底部においては、凸状部の両側及び凹状部の中央という、何れも窪んだ部分のみが底部の表面に現れるため、引掛かりの生じ難い、ほぼ平坦な底部が形成される。
【００１７】
更に、本考案に係る箱は、「前記挿入片は、挿入片基端より先端に向かって拡幅して形成され、前記切込部は、前記第二切込の終端から、更にフラップ先端部側に向かうと共に、前記第二切込に対してフラップ内側に屈曲した第三切込を備える」ものとすることができる。
【００１８】
「挿入片基端」は、挿入片のいわゆる付け根の部分である。また、「第三切込」は、例えば、「三角形部」を構成する三辺のうち、第一切込及び第二切込以外の辺、すなわち折り曲げ可能な線を、フラップ先端縁方向に延長した線上に設けることができる。
【００１９】
従って、本考案によれば、挿入片の先端側が拡幅して形成されることにより、切込部に挿入された挿入片がより抜け難いものとなる。また、切込部が第三切込を更に具備することにより、先端側で拡幅した挿入片を挿入し易くなると共に、第二切込及び第三切込の交点と挿入片基端とがかみ合う設定とすることが可能となり、挿入片と切込部との係合がより強固なものとなる。これにより、挿入片と切込部との係合によって第二底フラップが第一底フラップに固定される状態が安定し、底部の形成状態がより安定したものとなる。
【考案の効果】
【００２０】
以上のように、本考案によれば、粘着テープやステープル等によって固定する作業を省くと共に、堅固な底部を安定的に構成できる箱を提供することができる。
【考案を実施するための最良の形態】
【００２１】
以下、本発明の一実施形態である箱について、図１乃至図４に基づいて説明する。ここで、図１は本実施形態の箱の構成を示す展開図であり、図２乃至図４は図１の箱の組立て過程を示す斜視図である。なお、本実施形態では、本発明の箱を段ボール箱に適用した場合について例示する。
【００２２】
本実施形態の箱１は、表裏のライナー間に波型に加工した中芯を配して形成される周知の段ボール紙を打ち抜き、各部位が一体的に成形された一枚のブランク１０によって構成されている。このブランク１０は、図１に示すように、角筒状の箱本体の構成で幅方向に直線的に連設された一対の第一側壁５１及び一対の第二側壁５２と、これらの側壁の下端縁からそれぞれ連設された一対の第一底フラップ１１，１３及び一対の第二底フラップ１２と、上端縁からそれぞれ連設された一対の第一上フラップ６１及び一対の第二上フラップ６２と、一方の第一底フラップ１１に形成された凸状部２１と、他方の第一底フラップ１３に形成された凹状部２３と、それぞれの第一底フラップ１１，１３に形成された切込部３０と、それぞれの第二底フラップ１２形成された挿入片４０とを主に具備している。
【００２３】
更に、詳細に説明すると、凸状部２１は第一底フラップ１１のほぼ中央に、凹状部２３は第一底フラップ１３のほぼ中央にそれぞれ一つ形成され、両者の位置、長さ、高さ、及び形状は相互に対応する設定、すなわち、凹状部２３における切り欠き形状と凸状部２１の形状が一致し、凸状部２１の高さと凹状部２３の深さが略同一の設定とされている。また、凸状部２１の基端２１ａからフラップ基端縁１１ｂまでの長さＬ１と、凹状部２３の基端２３ａからフラップ基端縁１３ｂまでの長さＬ２との和は、第二側壁５２の幅とほぼ同一に設定されている。
【００２４】
切込部３０は、第一底フラップ１１，１３の左右のフラップ側方に、それぞれ一つずつ設けられ、フラップ基端縁１１ｂ、１３ｂよりごく僅かにフラップ先端部側を、フラップ基端縁１１ｂ、１３ｂに平行にフラップ側方からフラップ内側に向かう第一切込３１と、第一切込３１の終端からフラップ先端部側に向かう第二切込３２と、第二切込３２の終端から、更にフラップ先端部側に向かうと共に、第二切込３２に対してフラップ内側に屈曲した第三切込３３とにより構成されている。また、第一切込３１及び第二切込３２を二辺とする三角形部３５の他の一辺は、三角形部３５を裏面方向に折り曲げ可能な切込部折目３６とされ、第三切込３３は、この切込部折目３６をフラップ先端部側に延長した線上に設けられている。
【００２５】
挿入片４０は、第二底フラップ１２のフラップ先端部のフラップ側方において、フラップ先端縁１２ａからフラップ側縁１２ｃに向かって斜めに形成された、左右一対の溝部４４により、第二底フラップ１２と分離可能となった両側方の先端部分である。なお、フラップ側縁とは、フラップ基端縁の端部とフラップ先端縁の端部とを結ぶ辺であり、本実施形態では、切込部３０の第一切込３１がフラップ基端縁１１ｂより僅かにフラップ先端部側に設けられることに対応し、フラップ側縁１２ｃも先端ほど僅かにフラップ内側に傾斜している。上記のように、本実施形態の挿入片４０は、溝部４４を設けることにより形成されるため、溝部４４の閉端は挿入片基端４２でもある。そして、溝部４４が斜めに形成されることにより、挿入片４０の幅は、挿入片基端４２より先端側が幅広となっている。また、溝部４４の長さＬ３と、その延長方向で挿入片基端４２からフラップ側縁１２ｃまでの長さＬ４は、長短の差が大きくないことが望ましく、長さの比を４：６〜６：４の設定とすることが好適であり、本実施形態ではＬ３及びＬ４がほぼ同一に設定されている。
【００２６】
切込部３０と挿入片４０は、第二底フラップ１２を第一底フラップ１１，１３の上側から折り重ねた状態で、挿入片４０を切込部３０に挿入自在な位置に形成される。より具体的には、本実施形態では、溝部４４と第三切込３３、挿入片基端４２と第二切込３２の終端の位置がほぼ対応する設定とされている。
【００２７】
また、底フラップの高さは、何れの底フラップ１１，１２，１３についても同一に設定されている。更に、本実施形態では、第二底フラップ１２のフラップ基端縁１２ｂ側に、フラップ基端縁１２ｂと平行に折り曲げ可能なフラップ折目４５が設けられている。更に、一対の第二側壁５２には、箱１の運搬などの際の持手となる、作業者の手指の挿入可能な大きさの孔部７１が形成されている。なお、ブランク１０の端部に位置する第一側壁５１の側縁からは、ブランク１０の他端に位置する第二側壁５２と接着するための接着片５５が連設されている。更に、側壁と側壁との境界、側壁と底フラップまたは上フラップとの境界、側壁と接着片５５との境界には折目７０が設けられ、これらの折目７０は、切込部折目３６、フラップ折目４５と共に、段ボール紙を圧縮して形成されている。
【００２８】
次に、本実施形態の箱１の組立て方法及び使用方法について、主に図２乃至図４を用いて説明する。ブランク１０は、各部間の折目７０に沿って折り曲げることができ、本実施形態では、折目７０で山折りする場合について例示する。まず、接着片５５に接着剤を塗布し、ブランク１０の他端の第二側壁５２に貼着する。これにより、一対の第一側壁５１及び一対の第二側壁５２によって、上端及び下端が開口した角筒状の箱本体が形成される。なお、本実施形態では、一対の第一上フラップ６１及び一対の第二上フラップ６２の高さは、それぞれを内側に折り曲げても、箱本体の上方の開口部が覆われない設定であるが、これに限定されず、各上フラップの内折により蓋部が形成される高さに設定することも、係止片などの係止機構を具備する構成とすることもできる。
【００２９】
底部の形成は、天地を逆にして箱１を設置し、まず、凹状部２３に凸状部２１を挿し込みつつ、第一底フラップ１１及び第一底フラップ１３をほぼ水平に内側に折り曲げる。これにより、図２に示すように、二枚の第一底フラップ１１，１３は、凸状部２１が凹状部２３に嵌め込まれた状態で係合し、互いの先端部分で、凸状部２１の高さと凹状部２３の深さの分だけ重畳している。
【００３０】
次に、図３に示すように、第二底フラップ１２を内側に折り曲げつつ、挿入片４０を切込部３０に挿し込む。そして、挿入片４０が切込部３０と係合することにより、第一底フラップ１１，１３の上側から折り曲げられた第二フラップ１２が第一底フラップ１１，１３に対して固定される。この際、切込部折目３６に沿って三角形部３５を裏面側に折り曲げることにより、空隙が生じて挿入片４０の挿入が容易となる。また、第二底フラップ１２をフラップ折目４５に沿って山折りにすることにより、挿入片４０の先端が自然と下方に向かうと共に、フラップ折目４５からフラップ基端縁１２ｂまでの傾斜を利用し、この部分を下方に押すことにより、挿入片４０を切込部３０に容易に挿入することができる。
【００３１】
以上のように、四つの切込部３０に四つの挿入片４０を全て挿入すると、図４に示すように、ほぼ平坦な底部が形成される。そして、この状態で、再び天地を逆にし、箱１内に、収容物を収容することができる。また、上記と逆手順の操作により、一対の第一底フラップ１１，１３及び一対の第二底フラップ１２により構成された底部を、容易に解除することができる。
【００３２】
上記に説明したように、本実施形態の箱１によれば、一対の第一底フラップ１１，１３を内折し、その後に一対の第二底フラップ１２を内折し、挿入片４０を切込部３０に挿し込む容易な操作で、底部を形成することができる。そして、この際、一対の第一底フラップ１１，１３のフラップ先端部が重畳していることにより、底部の強度が増大し、箱１に重量物を収容しても、底部がたわみ難いものとなる。また、箱１への重量物の収容等により、挿入片４０と切込部３０との係合が多少ゆるみ、一対の第一底フラップ１１，１３が開きかけても、底部に隙間が生じにくいものとなる。これにより、収容物の底部からの露出や、収容物またはその一部の箱１からの落下を防止することが可能となる。
【００３３】
加えて、一対の第一底フラップ１１，１３は、凸状部２１が凹状部２３に嵌め込まれて係合し、その際、一方の第一底フラップ１１は、凸状部２１の表面及び凸状部２１以外の部分の裏面で第一底フラップ１３を両面から押圧して挟み込み、他方の第一底フラップ１３は、中央の窪んだ部分の近傍の裏面及び両端の突出した部分の表面で第一底フラップ１１を両面から押圧して挟み込むこととなり、互いの係合が強固なものとなる。特に、本実施形態では、凸状部２１の高さと凹状部２３の深さがほぼ同一に設定されているため、それぞれの第一底フラップ１１，１３において表面側及び裏面側から押圧される力がほぼ拮抗し、凸状部２１が凹状部２３から抜け難い強固な係合となる。
【００３４】
更に、凸状部２１の基端からフラップ基端縁１１ｂまでの長さＬ１と、凹状部２３の基端からフラップ基端縁１３ｂまでの長さＬ２との和は、第二側壁５２の幅とほぼ同一に設定されていることから、凸状部２１の基端２１ａと凹状部２３の基端２３ａとがしっかりとかみ合い、より外れにくい強固な係合状態が得られる。
【００３５】
また、一対の第一底フラップ１１，１３の係合は、凸状部２１を凹状部２３に嵌め込むものであることから、箱１を組み立てる操作の方法が一見して分かり易いものとなる。
【００３６】
更に、一対の第二底フラップ１２をそれぞれ第一底フラップ１１，１３に固定するための、挿入片４０と切込部３０との係合において、挿入片４０の先端側が幅広に形成されていることにより、挿入された挿入片４０が切込部３０から抜け難いものとなる。また、仮に、溝部４４の長さＬ３が短い場合は、挿入片４０が短いものとなって切込部３０から抜け易く、逆にＬ３が長い場合は、挿入片基端４２からフラップ側縁１２ｃの長さＬ４が短くなり、挿入片４０が付け根付近でちぎれ易い強度の低いものとなる。これに対し、本実施形態では、Ｌ３とＬ４をほぼ同一とする設定により、挿入片４０の付け根付近の強度が確保されると同時に、挿入片４０が切込部３０から抜け難いものとなっている。
【００３７】
加えて、切込部３０は、第一切込３１及び第二切込３２により形成されるＬ字状の切込みに、更に第三切込３３が設けられていることから、拡幅された挿入片４０の先端部が切込部３０に挿入し易くなると共に、第二切込３２と第三切込３３の交点と、挿入片基端４２とがかみ合い、挿入片４０と切込部３０との係合がより強固なものとなっている。
【００３８】
また、挿入片４０を切込部３０に挿入する際、切込部折目３６に沿って三角形部３５を裏面側に押下げることにより、切込部３０に隙間が生じ、挿入片４０を挿し込み易くなると共に、傾斜した三角形部３５によって挿入片４０の挿入が案内され、挿入操作が容易となる。加えて、第二底フラップ１２がフラップ折目４５を備えることにより、フラップ先端部の第一フラップ１１，１３の上面に向かう傾斜と、フラップ折目４５からフラップ基端縁１２ｂにかけての傾斜を利用して、より容易に切込部３０に挿入片４０を挿し込むことが可能となる。
【００３９】
加えて、箱１の内部に押下げられた三角形部３５に働く復元力によって、切込部３０に挿入された挿入片４０は、三角形部３５の表面によって第一底フラップ１１，１３の裏面に押圧され、切込部３０からより抜け難いものとなると共に、挿入片４０及び三角形部３５の重畳による底部の箱１の内部空間への盛り上がりが小さいものとなり、収容物の邪魔にならない。特に、本実施形態では本発明がダンボール箱に適用されているため、表裏のライナー間の波型の中芯における稜線（谷線）に対して、切込部折目３６が斜めに交差することとなり、折り曲げられた三角形部３５に大きな復元力が働く。更に、第一切込３１がフラップ基端縁１１ｂ、１３ｂのきわに形成されることから、箱１内部に押下げられる三角形部３５の位置が底部の端となり、より収容物の邪魔にならないものとなる。
【００４０】
そして、上記のように一対の第一フラップ１１，１３がそれぞれの先端部を重畳させ、且つ、互いにかみ合って強固に係合し、更に、この係合状態が、挿入片４０と切込部３０との係合により第一フラップ１１，１３にしっかりと固定された第二フラップ１２によって保持されることにより、堅固な底部を構成することができる。
【００４１】
更に、第二底フラップ１２を第一底フラップ１１，１３の上側に折り重ねた状態で、溝部４４と第三切込３３、挿入片基端４２と第二切込３２の終端との位置がほぼ対応するように設定されているため、挿入片４０と切込部３０がぴったりと係合し、形成される底部が堅固で、且つ、隙間が生じ難く、また、浮き上がりを生じ難いほぼ平坦なものとなる。
【００４２】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４３】
例えば、本実施形態では、第二底フラップ１２に一対の溝部４４を設けることによって、第二底フラップ１２の先端部の両側に挿入片４０が形成されるものを例示した。かかる構成によれば、挿入片４０による係止が左右両端で行われて安定すると共に、溝部４４間の部分が、挿入片４０とは反対側から第一フラップ１１，１３を押圧することとなり、第二底フラップ１２の第一底フラップ１１，１３への固定が強固なものとなっているが、この構成に限定されるものではない。例えば、挿入片を第二フラップの先端縁から突設されたものとすることにより、より簡易な構成とすることができる。
【００４４】
また、本実施形態では、凸状部及び凹状部を一対設けた場合を例示したが、これに限定されず、複数対のかみ合せにより、一対の第一底フラップをより強固に係合させることができる。
【図面の簡単な説明】
【００４５】
【図１】本発明の一実施形態の箱の構成を示す展開図である。
【図２】図１の箱の組立て過程を示す斜視図である。
【図３】図１の箱の組立て過程を示す斜視図である。
【図４】図１の箱の組立て過程を示す斜視図である。
【図５】従来の箱を示す斜視図である。
【符号の説明】
【００４６】
１  箱
１０  ブランク
１１，１３  第一底フラップ
１２  第二底フラップ
１１ｂ，１２ｂ、１３ｂ  フラップ基端縁
１２ａ  フラップ先端縁
１２ｃ  フラップ側縁
２１  凸状部
２１ａ  凸状部基端
２３  凹状部
２３ａ  凹状部基端
３０  切込部
３１  第一切込
３２  第二切込
３３  第三切込
３５  三角形部
３６  切込部折目
４０  挿入片
４２  挿入片基端
４４  溝部
４５  フラップ折目
【図１】
0003119259.tif 000003
【図２】
0003119259.tif 000004
【図３】
0003119259.tif 000005
【図４】
0003119259.tif 000006
【図５】
0003119259.tif 000007